(57)【要約】【課題】３０ｋｇ小袋等の小容量の計量袋詰めに加え、１トン収容のフレキシブルコンテナ等による大容量の取扱いにも対応可能な穀類選別計量機を提供する。【解決手段】穀類選別計量機(３)は、穀物から未熟粒を分離選別する選別筒(３１)と、選別された穀物の計量部(４１)とを備えて選別計量可能に構成され、大容量容器に計量収容する第一選別計量運転モードと、小容量容器に計量収容する第二選別計量運転モードとを切換え適用して前記選別筒(３１)および前記計量部(４１)を選別制御する制御部(Ｃ)を設けることにより、運転モード切換えによっていずれについても対応を可能とするものである。【選択図】図２
2018096901.tif 000002
【特許請求の範囲】
【請求項１】
穀物から未熟粒を分離選別する選別筒(３１)と、選別された穀物の計量部(４１)とを備えて選別計量する穀類選別計量機において、
大容量容器に計量収容する第一選別計量運転モードと、小容量容器に計量収容する第二選別計量運転モードとを切換え適用して前記選別筒(３１)および前記計量部(４１)を選別制御する制御部(Ｃ)を設けたことを特徴とする穀類選別計量機。
【請求項２】
前記制御部(Ｃ)は、前記第一選別計量運転モード用の第一計量器(４１ａ)の接続によって接続情報を送る第一接続部と、前記第二選別計量運転モード用の第二計量器(４１ｂ)の接続によって接続情報を送る第二接続部とを備え、前記接続情報の接続部と対応する選別計量運転モードに切替えることを特徴とする請求項１記載の穀類選別計量機。
【請求項３】
前記計量部(４１)による計量値の計量値表示部(３３)と、目標計量値の設定値表示部(３４)と、目標計量値の増減調整用の調整スイッチ(３５)とを備える操作パネル(３ｐ)を設け、前記運転モード切換えに対応して前記調整スイッチ(３５)による調整範囲を切換えることを特徴とする請求項１または請求項２記載の穀類選別計量機。
【請求項４】
前記運転モードの切換えに対応して前記調整スイッチ(３５)の調整単位を切換えることを特徴とする請求項３に記載の穀類選別計量機。
【請求項５】
前記第一選別計量運転モードは、第一計量器（４１ａ）で計量された玄米収容量と前記目標計量値に達するまでの残時間を前記計量値表示部(３３)に切換え表示することを特徴とする請求項３または請求項４に記載の穀類選別計量機。
【請求項６】
前記第一選別計量運転モードと前記第二選別計量運転モードに加えて、前記目標計量値によることなく、連続して選別計量する連続運転モードを備えることを特徴とする請求項１から請求項５のいずれかに記載の穀類選別計量機。
【発明の詳細な説明】
【技術分野】
【０００１】
本発明は、籾摺り穀物中の未熟米等の屑粒を選別して所定量毎に袋詰めする穀類選別計量機に関する。
【背景技術】
【０００２】
特許文献１に示す穀類選別計量機は、選別穀物を３０ｋｇの小袋単位の計量袋詰めすることができる。
【先行技術文献】
【特許文献】
【０００３】
【特許文献１】特開平８−１２８８８０号公報
【発明の概要】
【発明が解決しようとする課題】
【０００４】
本発明の目的は、３０ｋｇ小袋等の小容量の計量袋詰めのほかに、１トン収容のフレキシブルコンテナ等による大容量の取扱いにも対応可能な穀類選別計量機を提供することにある。
【課題を解決するための手段】
【０００５】
請求項１係る発明は、穀物から未熟粒を分離選別する選別筒(３１)と、選別された穀物の計量部(４１)とを備えて選別計量する穀類選別計量機において、大容量容器に計量収容する第一選別計量運転モードと、小容量容器に計量収容する第二選別計量運転モードとを切換え適用して前記選別筒(３１)および前記計量部(４１)を選別制御する制御部(Ｃ)を設けたことを特徴とする。
【０００６】
請求項２係る発明は、請求項１係る発明において、前記制御部(Ｃ)は、前記第一選別計量運転モード用の第一計量器(４１ａ)の接続によって接続情報を送る第一接続部と、前記第二選別計量運転モード用の第二計量器(４１ｂ)の接続によって接続情報を送る第二接続部とを備え、前記接続情報の接続部と対応する選別計量運転モードに切替えることを特徴とする。
【０００７】
請求項３係る発明は、請求項１または請求項２に係る発明において、前記計量部(４１)による計量値の計量値表示部(３３)と、目標計量値の設定値表示部(３４)と、目標計量値の増減調整用の調整スイッチ(３５)とを備える操作パネル(３ｐ)を設け、前記運転モード切換えに対応して前記調整スイッチ(３５)による調整範囲を切換えることを特徴とする。
【０００８】
請求項４係る発明は、請求項３に係る発明において、前記運転モードの切換えに対応して前記調整スイッチ(３５)の調整単位を切換えることを特徴とする。
【０００９】
請求項５係る発明は、請求項３または請求項４に係る発明において、前記第一選別計量運転モードは、第一計量器（４１ａ）で計量された玄米収容量と前記目標計量値に達するまでの残時間を前記計量値表示部(３３)に切換え表示することを特徴とする。
【００１０】
請求項６係る発明は、請求項１から請求項５のいずれかに係る発明において、前記第一選別計量運転モードと前記第二選別計量運転モードに加えて、前記目標計量値によることなく、連続して選別計量する連続運転モードを備えることを特徴とする。
【発明の効果】
【００１１】
請求項１係る発明は、制御部(Ｃ)により、第一選別計量運転モードと第二選別計量運転モードとを切替えることができるので、大容量のフレキシブルコンテナについての選別計量と、小容量の小袋についての選別計量のいづれについても対応することができる。
【００１２】
請求項２係る発明は、請求項１係る発明の効果に加え、いずれかの計量器(４１ａ，４１ｂ)の接続によって対応する運転モードに自動的に切換えて選別計量運転が可能となる。
【００１３】
請求項３係る発明は、請求項１または請求項２係る発明の効果に加え、運転モードに対応して調整スイッチ(３５)の調整範囲が切換えられるので、いずれの運転モードでも迅速な設定操作が可能となる。
【００１４】
請求項４係る発明は、請求項３係る発明の効果に加え、前記調整スイッチ(３５)の調整単位が運転モードに対応して切換えられることから、いずれの運転モードについても、迅速な設定操作が可能となる。
【００１５】
請求項５係る発明は、請求項３または請求項４に係る発明の効果に加え、長時間を要する第一選別計量運転モードの場合に、切換え表示によって現在の玄米収容量と残時間を把握できるので、袋詰め作業の利便性向上が可能となる。
【００１６】
請求項６に係る発明は、請求項１から請求項５のいずれかに係る発明の効果に加え、連続運転モードの適用により、選別穀物の袋詰め搬出に限らず、固定貯留タンクによる後工程設備との接続が可能となる。
【図面の簡単な説明】
【００１７】
【図１】籾摺・米選システム全体構成図
【図２】システム構成ブロック図
【図３】操作パネルの見取図
【図４】米選機の前面側の斜視図
【図５】米選機の背面側の斜視図
【図６】一部破断による米選機の内部構成斜視図
【図７】米選機の選別構成縦断面図
【図８】シャッタ部の拡大側面図
【図９】作動準備状態の米選機の正面図
【図１０】小袋装着状態の米選機の斜視図
【発明を実施するための形態】
【００１８】
上記技術思想に基づいて具体的に構成された実施の形態について、以下に図面を参照しつつ説明する。
【００１９】
（大容量選別計量）
籾摺選別システム１は、その全体構成の斜視図を図１に示すように、籾摺機２から穀類選別計量機を構成する米選機３に玄米を受け、未熟米等を選別除去し、所定量毎に選別排出を中断する選別計量制御により、３０ｋｇ袋等の小袋による定量袋詰め作業を可能とするとともに、フレキシブルコンテナ（以下において、「フレコン」と略称する。）等の大容量の収容部材に対応できるように構成する。
【００２０】
選別計量制御は、システム構成ブロック図、操作パネルの見取図を順に図２、図３に示すように、計量対象が異なる２つの計量器４１ａ，４１ｂを交換可能に設け、袋詰め量を設定するための調整スイッチ３５、と設定量等の各種表示部を操作パネル３ｐに設け、米選機３の排出口シャッタ３ｓの開閉制御、米選機３および籾摺機２の作動を通信接続によって連携制御可能に構成する。
【００２１】
具体的には、１トン程度の収容が可能な収容部材であるフレキシブルコンテナ（以下において、「フレコン」と略称する。）等の大容量の収容部材に対応できるように、小容量の小袋モードと大容量のフレコンモードを切換え可能に備え、計量器４１ａ，４１ｂの交換に伴う接続部の接続情報によって適用モードを連動して切換え可能に構成する。
【００２２】
（目標設定）
フレコンモードの選別制御は、米選機３の排出口シャッタ３ｓを常時開とし、また、袋詰めの設定量の調整範囲を適用モードと対応して切換える。例えば、設定値表示部３４は、調整スイッチ３５により、小袋モードで２０〜６０ｋｇ、フレコンモードで３００〜１２００ｋｇの範囲内の限定とし、設定の調整単位をそれぞれ５００ｇと１０ｋｇとすることにより、容易に設定操作することができる。
【００２３】
また、操作パネル３ｐには、計量値表示部３３を設けて収容量の計量値を即時表示し、フレコンモードの場合は、設定量に達するまでの残時間を切換え表示可能に構成することで、作業者において残時間情報に基づいた作業調整が可能となる。
【００２４】
フレコンモードの選別制御は、フレコン収容量が設定量に達してシャッタ３ｓが閉じている時に、一定時間の経過によってオーバーフローに至る場合は、米選機３の作動を停止し、籾摺機連携制御によって籾摺機２を停止制御するように構成する。具体的には、米選機３に設けた後述のオーバーフローセンサの検出によって停止制御する。
【００２５】
（連続作業モード）
籾摺選別システム１の近傍に、米選機３から昇降機を介して選別玄米を固定タンク４に貯留可能に構成するとともに、選別制御について、さらに連続作業モードを切換え可能に設ける。
【００２６】
連続作業モードは、貯留量を流量センサ等によって算出しつつ、米選機３の排出口シャッタ３ｓを常時開として連続選別制御可能に構成し、流量センサが検出不能になった時は、籾摺機２と米選機３とを含む全体を自動停止し、この場合、流量センサが所定時間内に流量増加を計測しなくなった時に、全体を自動停止して異常対応制御可能に構成する。
【００２７】
（フレキシブルコンテナ専用）
フレコン専用構成の場合は、米選機３に流量センサを設けて供給能率を表示することにより、重量計測器を要することなく、フレコン収容が可能となり、また、満量に達するまでの残時間を表示するように構成する。この場合に、フレコン容量の設定によって満量までの残時間を表示可能に構成することにより、フレコン容量に関わらず、適用が可能となる。
【００２８】
（残時間表示）
また、米選処理において、米選機３の計量値表示部３３に、袋が満量になるまでの残時間又は収容された現在の玄米量を表示する。小袋モード時には小袋Ｂに順次収容されていく玄米収容量の計量値を連続的に表示し、フレコンモード時にはフレコンに順次収容されていく玄米収容量の計量値の表示と、設定された玄米収容量に到達するまでの残時間を交互に表示する。
また、能率表示部３６は、単位時間当たりに排出口シャッタ３ｓから排出される玄米量を演算して、作業能率、例えば１時間当たりに収容される予想袋数又は予想ｋｇを交互に表示することにより、袋詰め作業の利便性向上が可能となる。
【００２９】
この場合において、米選機の排出口シャッタ３ｓが開かずに、玄米がオーバーフローする可能性がある時は、前回作業の能率値を参考にしてオーバーフローが見込まれる状況にあれば、ブザー等によって警告するように構成し、また、袋の満量までの残時間の表示に加えてオーバーフローまでの時間を表示可能に構成する。
【００３０】
（米選機構成）
次に、上記米選機３の取扱いについて、その細部構成と合わせて説明する。
米選機３は、その正面側と背面側の斜視図を順に図４、図５に示すように、シャッタ３ｓを備える排出部の前面に操作パネル３ｐを配置し、シャッタ３ｓの直下には、小袋モードにおける作業の際に小袋Ｂを載置して重量を測定する第二計量器４１ｂを配置し、また、フレコンモードにおけるフレコンの作業状態については図示しないが、第二計量器４１ｂより大きい第一計量器４１ａにフレコンを載置する。
【００３１】
米選機３による分離排出のために、片側面部には、未熟米オーバーフロー口３９ａ、未熟米出口３９ｂ、糠出口３９ｃを備え、他側面部には、選別米オーバーフロー口３９ｄを備え、また、背面側に籾摺玄米を受けるホッパ３ｈを備える。
【００３２】
米選機３の分離排出構成は、一部破断による内部構成斜視図を図６に示すように、回転螺旋３１ａと選別網３１ｂとによって選別筒３１を構成する。この選別筒３１は、拡大縦断面図を図７に示すように、ホッパ３ｈに受けた玄米が回転螺旋３１ａによって上昇してタンク部下端の排出口シャッタ３ｓから排出され、また、選別網３１ｂから漏れ出た未熟米と糠砕米とが分離されてそれぞれの排出口３９ｂ，３９ｃから排出される。
【００３３】
（シャッタ）
シャッタ３ｓは、その開閉機構の拡大側面図を図８に示すように、シャッタロッド３８ｒを連結し、このロッド３８ｒ介して開閉制御可能にソレノイド３８ｓを設ける。
【００３４】
上記構成の米選機３は、作動準備状態の正面図を図９に示すように、未熟米出口３９ｂと選別米オーバーフロー口３９ｄの直下にそれぞれ袋Ｂ１，Ｂ２を配置して受ける準備をした上で、小袋装着時の斜視図を図１０に示すように、３０ｋｇ袋等の小袋Ｂの上端両側縁を袋キャッチによって第二計量器４１ｂに装着することで、小袋の袋詰めを開始することができる。
【００３５】
（構成上の要点）
上述の穀類選別計量機３の構成上の要点についてまとめると、次のとおりである。
第一に、フレコン等の大容量容器に計量収容する第一選別計量運転モードと、小袋Ｂ等の小容量容器に計量収容する第二選別計量運転モードとを切換え適用して選別筒３１および計量部４１を選別制御する制御部Ｃを設けたことから、制御部Ｃにより、第一選別計量運転モードと第二選別計量運転モードとを切替えることができるので、大容量のフレキシブルコンテナについての選別計量と、小容量の小袋についての選別計量のいづれについても対応することができる。
【００３６】
第二に、制御部Ｃは、第一選別計量運転モード用の第一計量器４１ａの接続によって接続情報を送る第一接続部と、第二選別計量運転モード用の第二計量器４１ｂの接続によって接続情報を送る第二接続部とを備え、接続情報の接続部と対応する選別計量運転モードに切替えることにより、いずれかの計量器４１ａ，４１ｂの接続によって対応する運転モードで選別計量運転が可能となる。
【００３７】
第三に、計量部４１による計量値の計量値表示部３３と、目標計量値の設定値表示部３４と、目標計量値の増減調整用の調整スイッチ３５とを備える操作パネル３ｐを設け、運転モード切換えに対応して調整スイッチ３５による調整範囲を切換えることにより、いずれの運転モードでも迅速な設定操作が可能となる。
【００３８】
第四に、調整スイッチ３５の調整単位が運転モードに対応して切換えることにより、迅速な設定操作が可能となる。
【００３９】
第五に、第一選別計量運転モードは、第一計量器４１ａで計量された玄米収容量と目標計量値に達するまでの残時間を計量値表示部３３に切換え表示することにより、長時間を要する第一選別計量運転モードの場合に、切換え表示によって残時間を把握できるので、作業調整が可能となる。
【００４０】
第六に、第一選別計量運転モードと第二選別計量運転モードに加えて、目標計量値によることなく、連続して選別計量する連続運転モードを備えることから、連続運転モードの適用により、選別穀物の袋詰め搬出に限らず、固定貯留タンクによる後工程設備との接続が可能となる。
【符号の説明】
【００４１】
１      籾摺選別システム
２      籾摺機
３      穀類選別計量機（米選機）
３ｐ    操作パネル
３１    選別筒
３３    計量値表示部（切換表示部）
３４    設定値表示部
３５    調整スイッチ
４１    計量部
４１ａ  第一計量器
４１ｂ  第二計量器
Ｃ      制御部
【図１】
2018096901.tif 000003
【図２】
2018096901.tif 000004
【図３】
2018096901.tif 000005
【図４】
2018096901.tif 000006
【図５】
2018096901.tif 000007
【図６】
2018096901.tif 000008
【図７】
2018096901.tif 000009
【図８】
2018096901.tif 000010
【図９】
2018096901.tif 000011
【図１０】
2018096901.tif 000012